(57)【要約】      （修正有）【課題】止め具を備えた本体部をポケットやカバン等に入れても、出し入れしやすく、係止が解除されることがない止め具を提供する。【解決手段】互いに近位及び遠位で開閉駆動する上片部と下片部とを有する開口部と、開口部の上片部及び下片部の一方の部材の表面に設置される被係止面部１１と、開口部の上片部及び下片部の他方の部材に一端部を接続され、他端部に被係止面部１１に係合する係止片部１２を備えた連結帯部１３とを備えた止め具において、被係止面部１１の厚さに対して、連結帯部１３が介在する以外の被係止面部１１周囲の部材の厚さが厚く被係止面部１１と被係止面部１１周囲との両表面間に段差２４が形成されており、係止片部１２の厚さが段差２４と同じかそれ以下であるものである。【選択図】図３
0003191406.tif 000002
【実用新案登録請求の範囲】
【請求項１】
互いに近位及び遠位で開閉駆動する上片部と下片部とを有する開口部と、
前記開口部の上片部及び下片部の一方の部材の表面に設置される被係止面部と、
前記開口部の上片部及び下片部の他方の部材に一端部を接続され、他端部に前記被係止面部に係合する係止片部を備えた連結帯部とを備えた止め具において、
前記被係止面部の厚さに対して、前記連結帯部が介在する以外の被係止面部周囲の部材の厚さが厚く前記被係止面部と被係止面部周囲との両表面間に段差が形成されており、
前記係止片部の厚さが前記段差と同じかそれ以下であることを特徴とする止め具。
【請求項２】
互いに近位及び遠位で開閉駆動する上片部と下片部とを有する開口部と、
前記開口部の上片部及び下片部の一方の部材の表面に設置される被係止面部と、
前記開口部の上片部及び下片部の他方の部材に一端部を接続され、他端部に前記被係止面部に係合する係止片部を備えた連結帯部とを備えた止め具において、
前記被係止面部の厚さに対して、前記連結帯部が介在する以外の被係止面部周囲の部材の厚さが厚く前記被係止面部と被係止面部周囲との両表面間に段差が形成されており、
前記係止片部の厚さが前記段差と同じかそれ以下であり、
前記被係止面部と連結帯部の他端部の係止片部とが互いに係止された場合に、前記段差の縁端面と前記被係止面上で該縁端面と内向する係止片部の端辺との間に間隙が形成されることを特徴とする止め具。
【請求項３】
互いに近位及び遠位で開閉駆動する上片部と下片部とを有する開口部と、
前記開口部の上片部及び下片部の一方の部材の表面に設置される被係止面部と、
前記開口部の上片部及び下片部の他方の部材に一端部を接続され、他端部に前記被係止面部に係合する係止片部を備えた連結帯部とを備えた止め具において、
前記被係止面部の厚さに対して、前記連結帯部が介在する以外の被係止面部周囲の部材の厚さが厚く前記被係止面部と被係止面部周囲との両表面間に段差が形成されており、
前記係止片部の厚さが前記段差と同じかそれ以下であり、
前記被係止面部と連結帯部の他端部の係止片部とが互いに係止された場合に、前記段差の縁端面と前記被係止面上で該縁端面と内向する係止片部の端辺との間に間隙が形成され、
前記被係止面部と連結帯部の他端部の係止片部との係止手段として、磁気吸着手段を備えていることを特徴とする止め具。
【請求項４】
互いに近位及び遠位で開閉駆動する上片部と下片部とを有する開口部と、
前記開口部の上片部及び下片部の一方の部材の表面に設置される被係止面部と、
前記開口部の上片部及び下片部の他方の部材に一端部を接続され、他端部に前記被係止面部に係合する係止片部を備えた連結帯部とを備えた止め具において、
前記被係止面部の厚さに対して、前記連結帯部が介在する以外の被係止面部周囲の部材の厚さが厚く前記被係止面部と被係止面部周囲との両表面間に段差が形成されており、
前記係止片部の厚さが前記段差と同じかそれ以下であり、
前記被係止面部と連結帯部の他端部の係止片部とが互いに係止された場合に、前記段差の縁端面と前記被係止面上で該縁端面と内向する係止片部の端辺との間に間隙が形成され、
前記被係止面部に互いに係合するホックの雄金具と雌金具との何れか一方が配され、
前記連結帯部の他端部の係止片部に前記ホックの雄金具と雌金具との何れか他方が配されていることを特徴とする止め具。
【請求項５】
互いに近位及び遠位で開閉駆動する上片部と下片部とを有する開口部と、
前記開口部の上片部及び下片部の一方の部材の表面に設置される被係止面部と、
前記開口部の上片部及び下片部の他方の部材に一端部を接続され、他端部に前記被係止面部に係合する係止片部を備えた連結帯部とを備えた止め具において、
前記被係止面部の厚さに対して、前記連結帯部が介在する以外の被係止面部周囲の部材の厚さが厚く前記被係止面部と被係止面部周囲との両表面間に段差が形成されており、
前記係止片部の厚さが前記段差と同じかそれ以下であり、
前記被係止面部と連結帯部の他端部の係止片部とが互いに係止された場合に、前記段差の縁端面と前記被係止面上で該縁端面と内向する係止片部の端辺との間に間隙が形成され、
前記被係止面部に互いに係合する第１面ファスナー部材と第２面ファスナー部材との組の何れか一方が配され、
前記連結帯部の他端部の係止片部に前記第１面ファスナー部材と第２面ファスナー部材との組の何れか他方が配されていることを特徴とする止め具。
【考案の詳細な説明】
【技術分野】
【０００１】
本考案は、例えば携帯電話カバー、携帯電話ケース、財布、ポーチ、メガネケース、ペンケース、書類ケース、手帳カバー、タブレットカバー、ノート型パソコンカバーを始めとする小型バッグ等の開口部を係止する止め具に関するものである。
【背景技術】
【０００２】
例えば、財布、ポーチ、メガネケース、ペンケース等の２つ折り部材の開口部を閉じた状態を維持させる状況では、開口部を線ファスナー、面ファスナー、ホック等で止めることが行われている。
【０００３】
例えば「ジッパー（登録商標）」や「チャック（登録商標）」とも呼ばれる線ファスナーについては、スライダーを一端部から他端部まで移動させることにより、しっかりと閉塞させることができ、ワンタッチで開閉させることのできるホック、面ファスナー等の止め具とはその目的において相違する分野において使用されている。また、「マジックテープ（登録商標）」とも呼ばれる面ファスナーについては、その着脱の容易性において有利な面を有しているが、高級感がないのが現状である。
【０００４】
一方、高級感のある止め具としては、ホックが挙げられる。このホックについては、種々のものが利用されている。例えば、ホックの雄金具と雌金具との何れか又は両方に磁石を配し、両者が近接した際に磁気吸着させて、係合を完了するようにした止め具が提案されている（例えば、特許文献１参照）。
【先行技術文献】
【特許文献】
【０００５】
【特許文献１】特開平０５−１８２８２２号公報
【考案の概要】
【考案が解決しようとする課題】
【０００６】
このようなホックについては、上記のようなケース類を服のポケットに入れて持ち運ぶ場合に、ホック部分等の突設された部位が出し入れの際にポケットの周囲に当たって、出し入れし難く、場合によっては当たった際に係止が解除となり内容物が落下するおそれ等の課題があった。同様に、ケース類をカバン内に入れて持ち運ぶ場合にも、ホック部分等の突設された部位がカバンの開口部に出し入れの際に当たって、出し入れし難い課題や、持ち運んでいる最中にカバン内に入れた他のものが、カバン内で突設された部位に当たり、ホック等の係止を解除する等の課題もあった。また、雄金具と雌金具との機械的な係止を伴うため、度重なる開閉による構造的な劣化や上記突設された部位に物が当たることによる故障のおそれもあった。
【０００７】
本考案は、ポケットやカバン等に入れても、出し入れしやすく、故障が少なく、係止が解除されることがないように、本体部に対して突設された部位がない止め具を得ることを目的とする。
【課題を解決するための手段】
【０００８】
請求項１に記載された考案に係る止め具は、互いに近位及び遠位で開閉駆動する上片部と下片部とを有する開口部と、前記開口部の上片部及び下片部の一方の部材の表面に設置される被係止面部と、前記開口部の上片部及び下片部の他方の部材に一端部を接続され、他端部に前記被係止面部に係合する係止片部を備えた連結帯部とを備えた止め具において、
前記被係止面部の厚さに対して、前記連結帯部が介在する以外の被係止面部周囲の部材の厚さが厚く前記被係止面部と被係止面部周囲との両表面間に段差が形成されており、
前記係止片部の厚さが前記段差と同じかそれ以下であることを特徴とするものである。
【０００９】
請求項２に記載された考案に係る止め具は、請求項１に記載の被係止面部と連結帯部の他端部の係止片部とが互いに係止された場合に、前記段差の縁端面と前記被係止面上で該縁端面と内向する係止片部の端辺との間に間隙が形成されることを特徴とするものである。
【００１０】
請求項３に記載された考案に係る止め具は、請求項１又は２に記載の被係止面部と連結帯部の他端部の係止片部との係止手段として、磁気吸着手段を備えていることを特徴とするものである。
【００１１】
請求項４に記載された考案に係る止め具は、請求項１又は２に記載の被係止面部に互いに係合するホックの雄金具と雌金具との何れか一方が配され、
前記連結帯部の他端部の係止片部に前記ホックの雄金具と雌金具との何れか他方が配されていることを特徴とするものである。
【００１２】
請求項５に記載された考案に係る止め具は、請求項１又は２に記載の被係止面部に互いに係合する第１面ファスナー部材と第２面ファスナー部材との組の何れか一方が配され、
前記連結帯部の他端部の係止片部に前記第１面ファスナー部材と第２面ファスナー部材との組の何れか他方が配されていることを特徴とするものである。
【考案の効果】
【００１３】
本考案は、係止時における止め具の係止片部が、被係止面部の周縁表面高さに対して、突出することがないため、止め具を備えた本体部をポケットやカバン等に入れても、出し入れしやすく、故障が少なく、係止が解除されることがない止め具を得ることができるという効果がある。
【図面の簡単な説明】
【００１４】
【図１】本実施例の止め具を備えた携帯電話カバーの構成を示す説明図であり、ａ図は正面図、ｂ図は平面図である。
【図２】図１の携帯電話カバーの構成のａ−ａ断面構成を示す説明図であり、ａ図は閉塞状態を示す説明図、ｂ図は開放状態を示す説明図である。
【図３】図１の止め具の拡大図であり、ａ図は拡大平面図、ｂ図はａ−ａ断面図である。
【図４】別の実施例の止め具の拡大図であり、ａ図は拡大平面図、ｂ図はａ−ａ断面図である。
【図５】更に別の実施例の止め具の拡大図であり、ａ図は拡大平面図、ｂ図はａ−ａ断面図である。
【考案を実施するための形態】
【００１５】
本考案においては、互いに近位及び遠位で開閉駆動する上片部と下片部とを有する開口部と、前記開口部の上片部及び下片部の一方の部材の表面に設置される被係止面部と、前記開口部の上片部及び下片部の他方の部材に一端部を接続され、他端部に前記被係止面部に係合する係止片部を備えた連結帯部とを備えた止め具において、前記被係止面部の厚さに対して、前記連結帯部が介在する以外の被係止面部周囲の部材の厚さが厚く前記被係止面部と被係止面部周囲との両表面間に段差が形成されており、前記係止片部の厚さが前記段差と同じかそれ以下であるため、係止時における止め具の係止片部が、被係止面部の周縁表面高さに対して、突出することがない。このため、係止片部が周りのものに引っ掛かって係止が解除されることがない止め具を得ることができる。
【００１６】
具体的には、本考案の止め具は、互いに近位及び遠位で開閉駆動する上片部と下片部とを備えた開口部と、この開口部の上片部及び下片部の一方の部材の表面に設置される被係止面部と、開口部の上片部及び下片部の他方の部材に一端部を接続され、他端部に前記被係止面部に係合する係止片部を備えた連結帯部とを備えるものであればよい。例えば、携帯電話カバー、携帯電話ケース、財布、ポーチ、メガネケース、ペンケース、書類ケース、手帳カバー、タブレットカバー、ノート型パソコンカバーを始めとする小型バッグ等の開口部を係止するものであればよい。
【００１７】
この止め具において、被係止面部の部材の厚さに対して、連結帯部が介在する以外の被係止面部周囲の部材の厚さを厚くして被係止面部と被係止面部周囲との間に段差を形成させ、係止片部の厚さが段差と同じかそれ以下とすることにより、係止時の止め具の係止片部が係止部の周囲から突出した部分をなくすことができるため、止め具を備えた本体部をポケットやカバン等に入れても、出し入れしやすく、係止が解除されることがない利点を奏する。
【００１８】
このような携帯電話カバー、財布等は、衣服のポケットやカバン等に入れて携帯する場合が多々ある。その際にポケットの開口部やバッグ内の他の携帯品により引っ掛かり易い突設部分自体が止め具自体に存在しない構造であるため、出し入れがし易いだけでなく、故障が少なく、不用意に開口部が開放されることもない利点を奏する。
【００１９】
本考案の被係止面部及び係止片部としては、係止片部の厚さが被係止面部周囲の部材の厚さと同じかそれ以下にすればよい。より好ましくは、互いに係止された場合に、被係止面部周囲の段差面と、これに対向する係止片部との間に間隙が形成される。これにより、係止片部に対する指先の取っ掛かりが得られるため、取り外しが容易となるだけでなく、被係止面部の一部が表面側から識別又は確認できる。また、この被係止面部を他の表面部と相違する色や模様を配することにより、高級感のあるデザインとすることも可能である。
【００２０】
また、本考案の被係止面部と係止片部との係止手段としては、ワンタッチで装着脱可能であれば、どのような係止手段を採用することも可能である。例えば、好ましい態様としては、被係止面部と連結帯部の他端部の係止片部とが磁気吸着されるもの、被係止面部に互いに係合するホックの雄金具と雌金具との何れか一方が配され、連結帯部の他端部の係止片部に前記ホックの雄金具と雌金具との何れか他方が配されているもの、被係止面部に互いに係合する第１面ファスナー部材と第２面ファスナー部材との組の何れか一方が配され、連結帯部の他端部の係止片部に前記第１面ファスナー部材と第２面ファスナー部材との組の何れか他方が配されているもの等が挙げられる。
【実施例】
【００２１】
図１は本実施例の止め具を備えた携帯電話カバーの構成を示す説明図であり、ａ図は正面図、ｂ図は平面図である。図２は図１の携帯電話カバーの構成のａ−ａ断面構成を示す説明図であり、ａ図は閉塞状態を示す説明図、ｂ図は開放状態を示す説明図である。図３は図１の止め具の拡大図であり、ａ図は拡大平面図、ｂ図はａ−ａ断面図である。
【００２２】
図に示す通り、本実施例の携帯電話ケース２０は、上片部としての表面部２１と下辺部としての裏面部２２とを背表紙部２３とで互いに近位及び遠位で２つ折り可能に開閉駆動される開口部を構成している。裏面部２２の内部の上面側に携帯電話本体（図示せず）が載置され、固定される。背表紙部２３で２つ折り可能に配される表面部２１は、止め具１０によって、開放されないように止められる。
【００２３】
この止め具１０は、この開閉される表面部２１の開口部側に設置される被係止面部１１と、裏面部２２の開口部側に一端部を接続され、他端部に被係止面部１１に係合する係止片部１２を備えた連結帯部１３とを備えている。
【００２４】
連結帯部１３が介在する以外の被係止面部１１周囲の表面部２１の厚さは、被係止面部１１と被係止面部１１周囲との両者に段差が形成される厚さとし、係止片部１２の厚さが被係止面部１１と被係止面部１１周囲との両者に形成された段差２４と同じかそれ以下とすることにより、係止時に止め具１０の係止片部１２が被係止面部１１の周囲の高さ位置から突設された部分がない構造となっている。これにより、機械的な係止がないため、度重なる開閉による構造的な劣化や上記突設された部位に物が当たることによる故障が少なく、ポケットやカバン等に入れても、出し入れしやすく、係止が解除されることがない利点を奏する。
【００２５】
また、係止片部１２の幅は、被係止面部１１の内法幅とほぼ同じ長さに形成され、係止片部１２の奥行きは被係止面部１１の内法奥行きよりも短くなっており、被係止面部１１と、係止片部１２とは、互いに係止された場合に、連結帯部１３が介在する部位に対向する位置の被係止面部１１に間隙２５が形成されるようになる。これにより、係止片部の取り外しが容易となるだけでなく、被係止面部の一部が表面側から識別又は確認できる。また、この被係止面部を他の表面部と相違する色や模様を配することにより、高級感のあるデザインとすることも可能である。
【００２６】
被係止面部１１と係止片部１２とには、各々互いに磁気吸着するマグネット１４、１５が内装されている。互いに磁気吸着するマグネット１４、１５は、係止片部１２に内装されるマグネット１４が矩形状の板であり、他方の被係止面部１１に内装されるマグネット１５が一対の円形状の板である。各々のマグネット１４、１５は互いに磁気吸着するようにＮ極とＳ極とが対向して配されている。これにより、ポケットやカバン等に入れても出し入れしやすく、その際に係止が解除されることがないだけでなく、使用時には、指先を間隙２５に挿入してワンタッチで係止を解除することができる。尚、連結帯部１３に対向する位置の係止片部１２の被係止面部１１への設置角は面取り状に丸められており、指先が引っ掛かり易くなっている。尚、係止片部１２が常に被係止面部１１の同じ位置で係止されるように、マグネット１４、１５の何れか一方又は両方を指向性の高い磁場を発生させるものを用いたり、対向配置されるマグネット組の数を増やしてもよい。
【００２７】
図４は別の実施例の止め具の拡大図であり、ａ図は拡大平面図、ｂ図はａ−ａ断面図である。図５は更に別の実施例の止め具の拡大図であり、ａ図は拡大平面図、ｂ図はａ−ａ断面図である。図４及び図５の止め具は、図１の携帯電話カバーの構成に各々図１の止め具１０とは異なる止め具４０及び止め具５０を装着したものであり、止め具４０、５０の構成以外は図１に示した携帯電話カバーの構成と同じである。そのため、同様の構成には同じ符号を付してある。
【００２８】
図４に示す通り、別の実施例の止め具４０も、開閉される表面部２１の開口部側に設置される被係止面部４１と、裏面部２２の開口部側に一端部を接続され、他端部に被係止面部４１に係合する係止片部４２を備えた連結帯部４３とを備えている。
【００２９】
連結帯部４３が介在する以外の被係止面部４１周囲の表面部２１の厚さは、被係止面部４１と被係止面部４１周囲との両者に段差が形成される厚さとし、係止片部４２の厚さが被係止面部４１と被係止面部４１周囲との両者に形成された段差２４と同じかそれ以下とすることにより、係止時に止め具４０の係止片部４２が被係止面部４１の周囲の高さ位置から突設された部分がない構造となっている。これにより、ポケットやカバン等に入れても、出し入れしやすく、係止が解除されることがない利点を奏する。
【００３０】
また、係止片部４２の幅についても、被係止面部４１の内法幅とほぼ同じ長さに形成され、係止片部４２の奥行きは被係止面部４１の内法奥行きよりも短くなっており、被係止面部４１と、係止片部４２とは、互いに係止された場合に、連結帯部４３が介在する部位に対向する位置の被係止面部４１に間隙２５が形成されるようになる。これにより、係止片部の取り外しが容易となるだけでなく、被係止面部の一部が表面側から識別又は確認できる。また、この被係止面部を他の表面部と相違する色や模様を配することにより、高級感のあるデザインとすることも可能である。
【００３１】
被係止面部４１と係止片部４２とには、ホック４６が装着されている。即ち、係止片部４２にはホック４６の雄金具が配され、被係止面部４１にホック４６の雌金具が配されている。これにより、ポケットやカバン等に入れても出し入れしやすく、その際に係止が解除されることがないだけでなく、使用時には、指を間隙２５に挿入してワンタッチで係止を解除することができる。
【００３２】
また、図５に示す通り、更に別の実施例の止め具５０も、開閉される表面部２１の開口部側に設置される被係止面部５１と、裏面部２２の開口部側に一端部を接続され、他端部に被係止面部５１に係合する係止片部５２を備えた連結帯部５３とを備えている。
【００３３】
連結帯部５３が介在する以外の被係止面部５１周囲の表面部２１の厚さは、被係止面部５１と被係止面部５１周囲との両者に段差が形成される厚さとし、係止片部５２の厚さが被係止面部５１と被係止面部５１周囲との両者に形成された段差２４と同じかそれ以下とすることにより、係止時に止め具５０の係止片部５２が被係止面部５１の周囲の高さ位置から突設された部分がない構造となっている。これにより、故障が少なく、ポケットやカバン等に入れても、出し入れしやすく、係止が解除されることがない利点を奏する。
【００３４】
また、係止片部５２の幅についても、被係止面部５１の内法幅とほぼ同じ長さに形成され、係止片部５２の奥行きは被係止面部５１の内法奥行きよりも短くなっており、被係止面部５１と、係止片部５２とは、互いに係止された場合に、連結帯部５３が介在する部位に対向する位置の被係止面部５１に間隙２５が形成されるようになる。これにより、係止片部の取り外しが容易となるだけでなく、被係止面部の一部が表面側から識別又は確認できる。また、この被係止面部を他の表面部と相違する色や模様を配することにより、高級感のあるデザインとすることも可能である。
【００３５】
被係止面部５１と係止片部５２とには、面ファスナー５７、５８が装着されている。即ち、係止片部５２には第１面ファスナー部材５７が配され、被係止面部５１に第２面ファスナー５８が配されている。これにより、ポケットやカバン等に入れても出し入れしやすく、その際に係止が解除されることがないだけでなく、使用時には、指を間隙２５に挿入してワンタッチで係止を解除することができる。
【符号の説明】
【００３６】
１０…止め具、
１１…被係止面部、
１２…係止片部、
１３…連結帯部、
１４…マグネット、
１５…マグネット、
２０…携帯電話ケース、
２１…表面部、
２２…裏面部、
２３…背表紙部、
２４…段差、
２５…間隙、
４０…止め具、
４１…被係止面部、
４２…係止片部、
４３…連結帯部、
４６…ホック、
５０…止め具、
５１…被係止面部、
５２…係止片部、
５３…連結帯部、
５７…第１面ファスナー部材、
５８…第２面ファスナー部材、
【図１】
0003191406.tif 000003
【図２】
0003191406.tif 000004
【図３】
0003191406.tif 000005
【図４】
0003191406.tif 000006
【図５】
0003191406.tif 000007